(57)【特許請求の範囲】
【請求項１】
矩形沈澱池内に横架された回転軸周りの駆動ホイールにより循環運動可能とされた左右一対のチェーンと、同チェーンに沿って前後に間隔を置いて配列されたフライトと、前記駆動ホイールを回転駆動する駆動手段とを備えるとともに、駆動手段により駆動される駆動ホイールに連動して回転して前記チェーンの表面に接触するブラシとを備える沈澱池等の処理池における藻類の除去装置であって、前記駆動ホイールの回転軸外周に第１ホイールが取り付けられ、前記回転軸に平行に支持軸が設けられて、同支持軸外周に第２ホイールが設けられ、前記第１ホイールと第２ホイールとが別の連動用チェーンで連動可能とされ、かつ、前記支持軸外周に、チェーンに接触して回転する前記ブラシが取り付けられていることを特徴とする沈澱池における藻類の除去装置。
【請求項２】
請求項１に記載のものにおいて、支持軸は、池側壁からチェーンの方向へ突出する短い軸でなっている沈澱池における藻類の除去装置。
【請求項３】
矩形沈澱池内に横架された回転軸周りの駆動ホイールにより循環運動可能とされた左右一対のチェーンと、同チェーンに沿って前後に間隔を置いて配列されたフライトと、前記駆動ホイールを回転駆動する駆動手段とを備えるとともに、前記駆動ホイールに表面の藻類を除去するブラシを備える沈澱池等の処理池における藻類の除去装置であって、前記ブラシは、チェーンに装備したブラケットを介して取り付けられて駆動ホイールの側面に接触するようになっていることを特徴とする沈澱池における藻類の除去装置。
【発明の詳細な説明】
【０００１】
【産業上の利用分野】
この発明は、沈澱池内の駆動チェーンや駆動ホイールの表面に付着する藻を除去してゆく沈澱池における藻類の除去装置に関する。
【０００２】
【従来の技術】
例えば、最初あるいは最終沈澱池においては、フライト式の汚泥掻寄装置が多く設置されている。同掻寄装置は、複数平行な回転軸と、同回転軸まわりに取り付けられたスプロケットである駆動ホイールと、駆動ホイールに掛けられて循環駆動されるチェーンである無端伝動部材とを備え、同無端伝動部材の外周には、フライトである掻寄部材が一定の前後間隔を置いて配列されている。
【０００３】
【発明が解決しようとする課題】
例えば、無端伝動部材は、循環駆動されることから藻が付着しないようであるが、実際には、同無端伝動部材は微速運動するものであるため、その表面に藻が多量に付着して、それらが無端伝動部材に根付いて腐食の原因になる。同無端伝動部材に通じる電気的な原因から腐食することもある。
【０００４】
そのため、定期的に藻を除去すればよいのであるが、現状では人手によるので、その手間は大変であり、また危険性もあった。一方、手間がかかるため、一般に付着したままとし勝ちで腐食が進行する原因になっていた。  この発明は前記課題を解決するためなされたもので、その目的とするところは、人手に依らず汚泥掻寄装置の運転で自動的に藻の除去が可能とされる沈澱池における藻類の除去装置を提供することにある。
【０００５】
【課題を解決するための手段】
前記課題を解決するため、請求項１記載の発明は、矩形沈澱池内に横架された回転軸周りの駆動ホイールにより循環運動可能とされた左右一対のチェーンと、同チェーンに沿って前後に間隔を置いて配列されたフライトと、前記駆動ホイールを回転駆動する駆動手段とを備えるとともに、駆動手段により駆動される駆動ホイールに連動して回転して前記チェーンの表面に接触するブラシとを備える沈澱池等の処理池における藻類の除去装置であって、前記駆動ホイールの回転軸外周に第１ホイールが取り付けられ、前記回転軸に平行に支持軸が設けられて、同支持軸外周に第２ホイールが設けられ、前記第１ホイールと第２ホイールとが別の連動用チェーンで連動可能とされ、かつ、前記支持軸外周に、チェーンに接触して回転する前記ブラシが取り付けられていることを特徴とする。請求項２記載の発明は、請求項１に記載のものにおいて、支持軸は、池側壁からチェーンの方向へ突出する短い軸でなっている。請求項３記載の発明は、矩形沈澱池内に横架された回転軸周りの駆動ホイールにより循環運動可能とされた左右一対のチェーンと、同チェーンに沿って前後に間隔を置いて配列されたフライトと、前記駆動ホイールを回転駆動する駆動手段とを備えるとともに、前記駆動ホイールに表面の藻類を除去するブラシを備える沈澱池等の処理池における藻類の除去装置であって、前記ブラシは、チェーンに装備したブラケットを介して取り付けられて駆動ホイールの側面に接触するようになっていることを特徴とする。
【０００６】
【実施例】
以下、図示した実施例を参照してこの発明を詳細に説明する。
図１および図２は、この発明の第１実施例を示している。この実施例において１は、矩形の沈澱池で、同沈澱池１は、側壁２と端壁３とを備え、かつ、底壁４とピット５を備える。この沈澱池１内には、図２に示すレベルに汚水が導入され水面６が設定されている。
【０００７】
沈澱池１内には、４軸である回転軸１０…が軸受１１…により平行かつ回転自在に支持されている。これらの回転軸１０…は、それぞれ１対ずつスプロケット（駆動ホイール）１２…が取り付けられている。これらのスプロケット１２…を介して左右１対のチェーン（無端伝動部材）１３が掛けられ、循環運動するようになっている。
【０００８】
各チェーン１３には、フライト（掻寄部材）１４…が前後に一定間隔を置いて複数枚配列されており、同フライト１４…は、下まわりにおいては汚泥を掻き寄せてピット５まで搬送し、上まわりでは浮遊物するスカムを一定の方向に寄せ付けてスカム除去装置で処理するようになっている。
【０００９】
沈澱池１の側部上には、減速機つきモーターである駆動源（駆動手段）１５が固定されている。この駆動源１５の軸先には、スプロケット１６が取り付けられ、同スプロケット１６にチェーン１７を介して回転軸１０まわりの他のスプロケット１８を回転駆動するようになっている。
【００１０】
ところで、上側の２本の回転軸１０のうちの一方を利用して、その外周にスプロケット（第１のホイール）２０を取り付け、回転軸１０に平行に設けられたこの発明にかかる両端支持式の支持軸２１まわりのスプロケット（第２のホイール）２２と前記スプロケット２０との間にチェーン（連動用の無端伝動部材）２３を掛け渡してある。そして、支持軸２１の外周には、駆動用のチェーン１３に下方から接触しながら回転するブラシ（除去部材）２４が取り付けられている。
ここで、このブラシ２４の周速は、チェーン１３と同一では藻の除去効果が少ないので、前記スプロケット２０とスプロケット２２は異径にしてある。このブラシ２４は、左右に１対設けられている。
【００１１】
図３は第２実施例を示す。この実施例は、前記実施例の支持軸２１が１本通し式であったのに対し、左右別軸式としたものである。すなわち、２６が個別の支持軸である。この場合、支持ブラケット２７を付加して支持の安定化を図っているがなくともよい。
【００１２】
図４および図５は第３実施例を示す。この実施例は、チェーン１３およびフライト１４に上側から接触して回転し藻を除去する方式を示す。すなわち、駆動側の回転軸１０の外周に、スプロケット１８に隣接したスプロケット（第１のホイール）３０を取り付け、同スプロケット３０にチェーン３１を介して他のスプロケット（第２のホイール）３２を連動させる。同スプロケット３２は、支持軸３３に取り付けられている。そして、支持軸３３には、長いブラシ３４が両チェーン１３およびフライト１４に上から接触しながら回転するように横架されている。
【００１３】
スプロケット３２はスプロケット３０に対してチェーン１３を介して上下の関係にあるので、チェーン１３の運動する方向に対してブラシ３４は逆方向に回転して藻を効果的に除去する。
尚、これらの図に同時に図示するように、チェーン１３の下まわりを擦る前記実施例のようなブラシ２４を併設してもよい。前記第３実施例のブラシ３４は、チェーン１３のみあるいはフライト１４のみを擦るものでもよい。
【００１４】
また、図５に仮想線で示すように、チェーン１３の、施工しやすくメンテナンスに有利であるできるだけ上まわりの個所に接触するようにブラシ３４を配してもよい。尚、同ブラシ３４は、スイングアームの先端に取り付けて昇降自在に支持してもよい。
【００１５】
さらに、チェーン１３が上まわりにきた時には弛むので、その下側には、一般にガイドレール３６を受役として沿わせて設けてあるが、このガイドレールに固定あるいは回転式のブラシを取り付けてもよい。固定式とする場合、ガイドレールに直接取り付ける方式と、スイングアームを介して適切な力で接触させる場合とがある。後者の方式は、次の図６および図７に示す浮力方式あるいは重り方式でもよい。前記実施例のブラシは、合成ゴム等耐久性のある樹脂スクレーパなどであってもよい。
【００１６】
図６および図７は第４実施例を示す。この実施例は、回転軸１０の一側外周に略Ｌ字形のアーム３８を回転軸１０に対して一定の姿勢にあるように支持し、同アーム３８の一端に水面６で浮くフロート３９を取り付け、下部他方には重り４０を垂下して安定させたもので、そのアーム３８の下端に取り付けたブラシ４１をチェーン１３の上り部分に内面から接触するようにしたものである。ブラシ４１は、フロート３９と重り４０が作用するもとで、常時チェーン１３に適切な力で接触するので、過剰な摩耗なしにチェーン１３の表側に対して接触するように設けてもよい。同実施例では、フロート３９および重り４０の一方を省略することはできる。
【００１７】
尚、図７に示すように、支持軸６０まわりにブラシ６１とスプロケット６２を回転自在に支持し、スプロケット６２を、他のスプロケット６３とチェーン６４でチェーン１３から連動回転自在にしてもよく、この場合、アーム６５の一端に重り６６を取り付けて、スプロケット６３が常にチェーン１３に接触するようにする。また、スプロケット６３側を支持軸とし、逆にブラシ６１の方を持ち上げてチェーン１３に当て付けるようにしてもよい。この場合、重り６６が前記とは反対側にくる。
【００１８】
図８は第５実施例を示す。この実施例は、側壁２や回転軸１０それにスプロケット１２の側面等を同時に清掃してゆくものを示している。すなわち、フライト１４の両側にはブラケット４３を介して側面ブラシ４４が取り付けられ、また、同フライト１４の下面にもブラシ４５が取り付けられている。側面ブラシ４４は、フライト１４の運動に伴って側壁２を擦って藻を除去し、ブラシ４５の方は、回転軸１０およびスプロケット１２の外周に付着の藻を除去してゆく。この場合、仮想線で示したが、回転軸１０外周には、矢印図示のように、特異形状をした除去促進筒４６を被せておくと、ブラシ４５が回転軸１０まわりにきた際に同筒４６をそのまま通過せずいわゆるこじ当てるようにしながら藻を除去する。側面ブラシ４４は、軸受１１にも接触するように構成してもよい。尚、回転軸１０の外周側に、フライト１４を清掃するブラシ７０を備え付けてもよい。
【００１９】
図９は第６実施例を示す。同実施例は、スプロケット１２の側面を主に清掃するための案で、チェーン１３に一体あるいは別体でブラケット５０を備えて、その内面にブラシ５１を備え付けてスプロケット１２の付着の藻を除去するのである。これとは逆に、スプロケット１２の側面あるいは回転軸１０側に回転するブラシを備え付けて、チェーン１３との相対摺動で同チェーン１３の藻を除去する方式にしてもよい。
【００２０】
図１０は第７実施例を示す。この実施例は、除去した藻がピット５内に流下してポンプ５５で吸い出されるようにしたものを示している。すなわち、チェーン１３外周のピット５上に対応してブラシ（固定でも回転式でもよい）５６を備えたものであり、同ブラシ５６はチェーン１３で連動回転させてもよい。
【００２１】
尚、電気的に藻が付着する場合の対策として、その逆（ブラスであればマイナス電流）電流を部材に流すようにする。
【００２２】
【発明の効果】
この発明は以上のような沈澱池における藻類の除去装置であるので、人手に依らず汚泥掻寄装置の運転で自動的に藻の除去が可能とされる沈澱池における藻類の除去装置を提供することができる。
【図面の簡単な説明】
【図１】この発明の第１実施例を示す平面図である。
【図２】図１のＩＩ−ＩＩ線断面図である。
【図３】第２実施例を示す平面図である。
【図４】第３実施例を示す平面図である。
【図５】図４のＶ−Ｖ線断面図である。
【図６】第４実施例を示す平面図である。
【図７】図６の側断面図である。
【図８】第５実施例を示す縦正面図である。
【図９】第６実施例を示す断面図である。
【図１０】第７実施例を示す側面図である。
【符号の説明】
１…沈澱池、２…側壁、６…水面、１２…スプロケット（駆動ホイール）、１３…チェーン（無端伝動部材）、１４…フライト（掻寄部材）、１５…駆動源（駆動手段）、２０，３０…スプロケット（第１ホイール）、２２，３２…スプロケット（第２ホイール）、２３，３１…チェーン（連動用の無端伝動部材）、２４，３４，４１，４４，５１，５６，６１，７０…ブラシ。
【図１】
0003554990.tif 000002
【図２】
0003554990.tif 000003
【図３】
0003554990.tif 000004
【図４】
0003554990.tif 000005
【図５】
0003554990.tif 000006
【図６】
0003554990.tif 000007
【図７】
0003554990.tif 000008
【図８】
0003554990.tif 000009
【図９】
0003554990.tif 000010
【図１０】
0003554990.tif 000011